(57)【要約】      （修正有）【課題】カーシェアリング、ライドシェアリング、又はタクシーなど利用申請された車両の乗員に対して、重複した広告を抑制して表示する車両用広告提供システムを提供する。【解決手段】車両用広告提供システム１は、複数のユーザに共用され、使用するユーザに対して広告を表示する車両側表示器３４を有する車両３０と、車両３０の一時使用の要求を送信する情報通信端末１０と、車両３０の一時使用を許可し、第２メモリ２２に記憶されたいずれかの広告データを車両３０に送信する管理サーバー２０とを備える。情報通信端末１０は、車両３０から車両側表示器３４に表示された提供済みの広告を識別可能な提供済み広告識別情報を取得し第１メモリ１２に記憶し、車両３０の一時使用の要求とともに提供済み広告識別情報を管理サーバー２０に送信する。管理サーバー２０は、提供済み広告識別情報に基づき、未だ提供していない広告データを選択して車両３０に送信する。【選択図】図１
2020144559.tif 000002
【特許請求の範囲】
【請求項１】
車両を使用するユーザに広告を提供する広告提供システムにおいて、
複数のユーザに共用され、使用するユーザに対して広告を表示する車両側表示器（３４）を有する車両（３０）と、
前記車両（３０）の一時使用の要求を送信する情報通信端末（１０）と、
複数の広告データを記憶する第２メモリ（２２）を有し、前記車両（３０）の一時使用を許可し、かつ前記第２メモリ（２２）に記憶された前記複数の広告データのいずれかの広告データを前記車両（３０）に送信する管理サーバー（２０）と、を備え、
前記情報通信端末（１０）は、前記車両（３０）から前記車両側表示器（３４）に表示された提供済みの広告を識別可能な提供済み広告識別情報を取得して第１メモリ（１２）に記憶しておき、前記車両（３０）の一時使用の要求とともに前記提供済み広告識別情報を前記管理サーバー（２０）に送信する、又は、前記管理サーバー（２０）は、前記車両（３０）から前記車両側表示器（３４）に表示された提供済みの広告を識別可能な提供済み広告識別情報を取得して第２メモリ（２２）に記憶し、
前記管理サーバー（２０）は、前記提供済み広告識別情報に基づき、前記第２メモリ（２２）に記憶された前記複数の広告データの未だ提供していない広告データを選択して前記車両（３０）に送信する、
車両用広告提供システム。
【請求項２】
前記管理サーバー（２０）は、前記情報通信端末（１０）から取得した前記提供済み広告識別情報に基づき、前記第２メモリ（２２）に記憶された前記複数の広告データのうち、未だ提供していない広告データであり、かつ最も新しい前記提供済みの広告に関連する広告データを選択して前記車両（３０）に送信する、
請求項１に記載の車両用広告提供システム。
【請求項３】
前記第２メモリ（２２）に記憶された前記複数の広告データは、順番が付与されており、
前記管理サーバー（２０）は、前記情報通信端末（１０）から取得した前記提供済み広告識別情報に基づき、前記第２メモリ（２２）に記憶された前記複数の広告データのうち、未だ提供していない広告データであり、かつ最も新しい前記提供済みの広告の次の順番の広告データを選択して前記車両（３０）に送信する、
請求項１に記載の車両用広告提供システム。
【請求項４】
前記管理サーバー（２０）は、前記情報通信端末（１０）から取得した前記提供済み広告識別情報に基づき、前記第２メモリ（２２）に記憶された前記複数の広告データのうち、未だ提供していない広告データであり、かつ前記第２メモリ（２２）に記憶された時期が最も新しい広告データを選択して前記車両（３０）に送信する、
請求項１に記載の車両用広告提供システム。
【請求項５】
前記管理サーバー（２０）は、前記広告データの商品に関連する商品ウェブサイトにアクセスするためのリンク情報が付加された前記広告データを前記車両（３０）に送信する、
請求項１に記載の車両用広告提供システム。
【請求項６】
前記管理サーバー（２０）は、前記リンク情報を介して前記商品ウェブサイトにアクセスした前記ユーザの数、又は／及び前記ユーザの割合を集計する、
請求項５に記載の車両用広告提供システム。
【請求項７】
前記管理サーバー（２０）は、前記リンク情報を介して商品を購入した前記ユーザの数、又は／及び前記ユーザの割合を集計する、
請求項５に記載の車両用広告提供システム。
【請求項８】
前記管理サーバー（２０）は、前記情報通信端末（１０）から前記ユーザの好みを推定可能な情報を取得し、前記情報通信端末（１０）から取得した前記提供済み広告識別情報に基づき、前記第２メモリ（２２）に記憶された前記複数の広告データのうち、未だ提供していない広告データであり、かつ前記ユーザの好みに合った広告データを選択して前記車両（３０）に送信する、
請求項１に記載の車両用広告提供システム。
【請求項９】
前記管理サーバー（２０）は、
前記情報通信端末（１０）又は／及び前記車両（３０）から前記提供済み広告識別情報を取得して前記第２メモリ（２２）に記憶し、
前記第２メモリ（２２）に記憶された前記提供済み広告識別情報に基づき、前記提供済みの広告に関連した前記広告データを新たな取得した、又は前記提供済みの広告の商品に関連した情報を新たに取得した場合、
前記情報通信端末（１０）を介して前記ユーザに報知する、
請求項１に記載の車両用広告提供システム。
【請求項１０】
前記第２メモリ（２２）に記憶された前記複数の広告データは、第１の商品に関する複数の広告データと、第２の商品に関する複数の広告データと、を含み、
前記管理サーバー（２０）は、前記情報通信端末（１０）から取得した前記提供済み広告識別情報に基づき、前記第１の商品に関する前記広告データを前記車両（３０）に送信した最も古い時期から所定の期間が経過していた場合、前記第２メモリ（２２）に記憶された前記複数の広告データのうち、未だ提供していない広告データであり、かつ前記第１の商品とは異なる前記第２の商品に関する広告データを選択して前記車両（３０）に送信する、
請求項１に記載の車両用広告提供システム。
【請求項１１】
前記第２メモリ（２２）に記憶された前記複数の広告データは、第１の商品に関する複数の広告データと、第２の商品に関する複数の広告データと、を含み、
前記管理サーバー（２０）は、前記情報通信端末（１０）から取得した前記提供済み広告識別情報に基づき、前記第１の商品に関する前記広告データを所定の回数連続して提供していた場合、前記第２メモリ（２２）に記憶された前記複数の広告データのうち、未だ提供していない広告データであり、かつ前記第１の商品とは異なる前記第２の商品に関する広告データを選択して前記車両（３０）に送信する、
請求項１に記載の車両用広告提供システム。
【請求項１２】
前記第２メモリ（２２）に記憶された前記複数の広告データは、第１の商品に関する複数の広告データと、第２の商品に関する複数の広告データと、を含み、
前記管理サーバー（２０）は、前記広告データの商品に関連する商品ウェブサイトにアクセスするためのリンク情報が付加された前記広告データを前記車両（３０）に送信し、前記リンク情報を介して前記第１の商品が購入された場合、前記第２メモリ（２２）に記憶された前記複数の広告データのうち、未だ提供していない広告データであり、かつ前記第１の商品とは異なる前記第２の商品に関する広告データを選択して前記車両（３０）に送信する、
請求項１に記載の車両用広告提供システム。
【発明の詳細な説明】
【技術分野】
【０００１】
本開示は、カーシェアリング、ライドシェアリング、又はタクシーなど利用申請された車両の乗員に対して広告を提供する車両用広告提供システムに関する。
【背景技術】
【０００２】
特許文献１には、車両に搭載された表示装置に表示されるコンテンツや広告を、サーバーから配信するシステムが開示されている。
【０００３】
特許文献２には、サーバーが付与した電子キーで車両へのアクセスを許可するカーシェアリングシステムが開示されている。
【先行技術文献】
【特許文献】
【０００４】
【特許文献１】国際公開第２０１３／０６５１８１号
【特許文献２】特開２０１６−４５２５２号公報
【発明の概要】
【発明が解決しようとする課題】
【０００５】
しかしながら、カーシェアリングで配車された車両にサーバーから広告が配信される場合、前回見たことのある広告が表示されることが想定され、乗車しているユーザが退屈に感じてしまう、又は広告の効果が薄れてしまうおそれがあった。
【課題を解決するための手段】
【０００６】
本明細書に開示される特定の実施形態の要約を以下に示す。これらの態様が、これらの特定の実施形態の概要を読者に提供するためだけに提示され、この開示の範囲を限定するものではないことを理解されたい。実際に、本開示は、以下に記載されない種々の態様を包含し得る。
【０００７】
本開示の概要は、車両に広告を効果的に提供することに関する。より具体的には、重複して広告が提供されることを抑制することにも関する。
【０００８】
したがって、本明細書に記載される車両用広告表示システムは、複数のユーザに共用され、使用するユーザに対して広告を表示する車両側表示器３４を有する車両３０と、車両３０の一時使用の要求を送信する情報通信端末１０と、複数の広告データを記憶する第２メモリ２２を有し、車両３０の一時使用を許可し、かつ第２メモリ２２に記憶された複数の広告データのいずれかの広告データを車両３０に送信する管理サーバー２０と、を備え、情報通信端末１０は、車両３０から車両側表示器３４に表示された提供済みの広告を識別可能な提供済み広告識別情報を取得して第１メモリ１２に記憶しておき、車両３０の一時使用の要求とともに提供済み広告識別情報を管理サーバー２０に送信する、又は、管理サーバー２０は、車両３０から車両側表示器３４に表示された提供済みの広告を識別可能な提供済み広告識別情報を取得して第２メモリ２２に記憶し、管理サーバー２０は、提供済み広告識別情報に基づき、第２メモリ２２に記憶された複数の広告データの未だ提供していない広告データを選択して車両３０に送信する。
【図面の簡単な説明】
【０００９】
【図１】いくつかの実施形態に係る、車両用広告提供システムのブロック図である。
【図２】いくつかの実施形態に係る、広告が提供される順番を説明する図である。
【発明を実施するための形態】
【００１０】
以下、図１では、例示的な車両用広告提供システムの構成の説明を提供する。図２は、車両用広告提供システムの動作例を提供する。なお、本発明は以下の実施形態（図面の内容も含む）によって限定されるものではない。下記の実施形態に変更（構成要素の削除も含む）を加えることができるのはもちろんである。また、以下の説明では、本発明の理解を容易にするために、公知の技術的事項の説明を適宜省略する。
【００１１】
以下、ライドシェアリングやカーシェアリング、又はタクシーなどの有償運送車両、など利用申請したユーザに対して広告を提供する広告提供システムの一実施形態について説明する。
【００１２】
図１に示すように、車両用広告提供システム１は、情報通信端末１０と、管理サーバー２０と、車両３０と、で構成される。
【００１３】
情報通信端末１０は、スマートフォン、ノートパソコン、スマートウォッチ、又はユーザが携帯可能なその他の情報機器であり、１つ又はそれ以上の第１プロセッサ１１と、１つ又はそれ以上の第１メモリ１２と、公衆回線通信部１３と、端末側表示器１４と、ＮＦＣ通信部１５と、で構成される。これら各種の構成は、それぞれ第１プロセッサ１１に電気的に接続され、当該第１プロセッサ１１によって統括的に制御される。
【００１４】
第１プロセッサ１１は、第１メモリ１２と動作可能に連結される。より具体的には、第１プロセッサ１１は、第１メモリ１２に記憶されている不図示のプログラムを実行することで、例えば、端末側表示器１４の表示制御する、車両３０の利用のリクエストを管理サーバー２０へ送信する、車両３０への乗車や車両３０の起動を申請する、などの処理を行うことができる。
【００１５】
第１プロセッサ１１（第２プロセッサ２１、第３プロセッサ３１も同様）は、少なくとも１つの汎用マイクロプロセッサ（例えば、中央処理装置（ＣＰＵ））、少なくとも１つの特定用途向け集積回路（ＡＳＩＣ）、少なくとも１つのフィールドプログラマブルゲートアレイ（ＦＰＧＡ）、又はそれらの任意の組み合わせを含むことができる。
【００１６】
第１メモリ１２（第２メモリ２２、第３メモリ３２も同様）は、ハードディスクのような任意のタイプの磁気媒体、ＣＤ及びＤＶＤのような任意のタイプの光学媒体、揮発性メモリのような任意のタイプの半導体メモリ、及び不揮発性メモリを含む。揮発性メモリは、ＤＲＡＭ及びＳＲＡＭを含み、不揮発性メモリは、ＲＯＭ及びＮＶＲＯＭを含んでもよい。
【００１７】
公衆回線通信部１３（公衆回線通信部２３、３３も同様）は、無線ワイドエリアネットワーク（ＷＷＡＮ０、ＷｉＭＡＸ、ＩＥＥＥ８０２．１６（ＷｉＭＡＸ：Worldwide Interoperability for Microwave Access））、４Ｇ、４Ｇ−ＬＴＥ、ＬＴＥ  Ａｄｖａｎｃｅｄ、５Ｇなどのセルラー通信規格により公衆回線（例えば、インターネット通信網）に接続可能である。
【００１８】
公衆回線通信部１３は、同じく公衆回線に接続される通信機器（ここでは管理サーバー２０）との間で無線通信を行う。
【００１９】
端末側表示器１４は、第１プロセッサ１１の制御に基づいて、静止画や動画などの画像を表示可能な車両３０の内部に設けられた１つ又はそれ以上の表示パネルである。
【００２０】
ＮＦＣ通信部１５は、電気信号を無線信号として送信したり、他のＮＦＣ通信部から受信した無線信号を電気信号に変換したりして、他のＮＦＣ通信部（ここではｃ）との間でＮＦＣ通信を行う。
【００２１】
管理サーバー２０は、複数の車両３０の中から情報通信端末１０から受信した前記車両リクエスト情報に適した車両３０を選定し、選定した車両３０の認証キー３２１に適合する認証キー２２３を第２メモリ２２から読み出し（又は後述する第２プロセッサ２１が生成し）、情報通信端末１０に送信することで、特定の車両３０をユーザが乗車可能（起動可能）にするものであり、１つ又はそれ以上の第２プロセッサ２１と、１つ又はそれ以上の第２メモリ２２と、公衆回線通信部２３と、で構成される。これら各種の構成は、それぞれ第２プロセッサ２１に電気的に接続され、当該第２プロセッサ２１によって統括的に制御される。
【００２２】
第２プロセッサ２１は、第２メモリ２２と動作可能に連結される。より具体的には、第２プロセッサ２１は、第２メモリ２２に記憶されている不図示のプログラムを実行することで、例えば、情報通信端末１０から受信するユーザ情報の照合、情報通信端末１０から受信する前記車両リクエスト情報に適合した車両３０の選定、選定した車両３０の認証キー２２３を情報通信端末１０へ送信、複数の広告データ２２５の中からユーザに未だ提供していない広告データ２２５の選定、選定した広告データ２２５を選定した車両３０へ送信、などの処理を行うことができる。
【００２３】
管理サーバー２０は、公衆回線通信部２３を介して同じく公衆回線に接続される通信機器（ここでは情報通信端末１０及び車両３０）との間で無線通信を行う。
【００２４】
管理サーバー２０は、第２メモリ２２に車両３０の認証キー２２３を記憶している。管理サーバー２０は、情報通信端末１０から受信した前記車両リクエスト情報に含まれる、予め設定されている車両３０を使用する予定の時間、乗車する位置に適合した車両３０の認証キー２２３を、公衆回線を介して情報通信端末１０に無線配信する。なお、管理サーバー２０（第２プロセッサ２１）は、車両３０の認証キー２２３を生成してもよい。この場合、管理サーバー２０（第２プロセッサ２１）は、生成した認証キー２２３によって車両３０へのアクセスが許可されるように、車両３０にも生成した認証キー２２３（又はこの生成した認証キー２２３を許可するコードであってもよい。）を送信する。
【００２５】
車両３０は、ライドシェアリング、カーシェアリングで用いられる車両、又はタクシーなどの有償運送車両などであり、管理サーバー２０によって利用が管理され、１つ又はそれ以上の第３プロセッサ３１と、１つ又はそれ以上の第３メモリ３２と、公衆回線通信部３３と、車両側表示器３４と、ＮＦＣ通信部３５と、で構成される。これら各種の構成は、それぞれ第１プロセッサ１１に電気的に接続され、当該第１プロセッサ１１によって統括的に制御される。
【００２６】
第３プロセッサ３１は、第３メモリ３２と動作可能に連結される。より具体的には、第３プロセッサ３１は、第３メモリ３２に記憶されている不図示のプログラムを実行することで、例えば、ＮＦＣ通信部３５を介して情報通信端末１０から受信した認証キー１２５と車両３０の第３メモリ３２に記憶された認証キー３２１（又は認証キー１２５を許可するコード）との照合、当該照合が成立した場合のユーザによる車両３０へアクセス（解錠、施錠、乗車、又は／及び起動など）の許可、管理サーバー２０から受信した広告データ２２５（車両３０上では広告データ３２３）に基づく車両側表示器３４における広告の表示、ユーザに提供する広告データ３２３を管理サーバー２０に要求、表示が完了した広告に関する情報を情報通信端末１０、又は／及び管理サーバー２０へ送信、などの処理を行うことができる。
【００２７】
公衆回線通信部３３は、同じく公衆回線に接続される通信機器（ここでは管理サーバー２０）との間で無線通信を行う。
【００２８】
車両側表示器３４は、第３プロセッサ３１の制御のもと、管理サーバー２０から受信した広告データ２２５（車両３０上では広告データ３２３）に基づいて、広告を表示可能な表示パネルである。
【００２９】
ＮＦＣ通信部３５は、電気信号を無線信号として送信したり、他のＮＦＣ通信部から受信した無線信号を電気信号に変換したりして、他のＮＦＣ通信部（ここでは情報通信端末１０）との間でＮＦＣ通信を行う。ＮＦＣ通信部３５は、車両３０のドアの外面に設けられる車外ＮＦＣ通信部と、車両３０のセンターコンソールやダッシュボードに設けられる車内ＮＦＣ通信部と、を含んでいてもよい。第３プロセッサ３１は、前記車外ＮＦＣ通信部を介して情報通信端末１０から受信した認証キー１２５との照合が成立すれば、車両３０のドアを施錠状態から解錠状態に切り替える（車両３０への乗車を許可する）。また、第３プロセッサ３１は、前記車内ＮＦＣ通信部を介して情報通信端末１０から受信した認証キー１２５との照合が成立すれば、車両３０の動力源（エンジン又はモータ）を起動する（車両３０の起動を許可する）。
【００３０】
すなわち、情報通信端末１０は、図示しない操作部によるユーザの操作に基づいて車両３０の利用を管理サーバー２０に対して申請する車両リクエスト情報を生成し、当該車両リクエスト情報と、公衆回線通信部１３によって第１メモリ１２に記憶された情報通信端末１０のユーザに関するユーザ情報（ライドシェアリングシステム、カーシェアリングシステム、有償運送車両の配車システムを利用するための登録情報）１２１と、後述する提供済み広告情報１２３と、を管理サーバー２０へ送信する。前記車両リクエスト情報は、ユーザが車両３０を使用する予定の時間、乗車する位置、を含んでいてもよい。管理サーバー２０は、受信したユーザ情報１２１と管理サーバー２０の第２メモリ２２に記憶されたユーザ情報２２１とを照合し、当該照合が成立すれば、情報通信端末１０に対して第２メモリ２２に記憶された（又は第２プロセッサ２１により生成された）認証キー２２３を送信する。情報通信端末１０は、公衆回線通信部１３によって管理サーバー２０から車両３０に乗車する（これに加えて起動する）ための認証キー２２３（情報通信端末１０上では認証キー１２５。）を受信し、第１メモリ１２に記憶する。なお、情報通信端末１０が第１メモリ１２に記憶する提供済み広告情報１２３に関する処理ついては後述する。
【００３１】
次に、情報通信端末１０は、管理サーバー２０から取得した認証キー１２５をＮＦＣ通信部１５によって車両３０へ送信する。車両３０は、情報通信端末１０からＮＦＣ通信部３５を介して受信した認証キー１２５と車両３０の第３メモリ３２に記憶された（又は管理サーバー２０の第２プロセッサ２１により生成され、受信した）認証キー３２１とを照合し、当該照合が成立すれば、車両３０への乗車（これに加えて車両３０の起動）を許可する。
【００３２】
［広告の表示について］
第３プロセッサ３１は、車両３０の起動（又はユーザの乗車）がなされると、車両側表示器３４に広告データ３２３に基づく広告の表示を開始する。第３プロセッサ３１は、広告の表示中、表示中の広告が終了した後、又は表示中の広告の終了が近づいたタイミング、において、公衆回線通信部３３を介して管理サーバー２０に最新の提供済み（又は提供中）の広告に関する情報を送信する。管理サーバー２０は、利用申請時に情報通信端末１０から受信した提供済み広告情報１２３と、車両３０から受信した最新の提供済み（又は提供中）の広告に関する情報と、に基づいて、未だ提供していない次の順番の広告データ２２５を選定し、車両３０に再送信することができる。
【００３３】
また、第３プロセッサ３１は、車両側表示器３４における最新の広告の表示が終了した後、ＮＦＣ通信部３５を介して、最新の提供済みの広告に関する情報を送信し、情報通信端末１０の第１プロセッサ１１は、この最新の提供済みの広告に関する情報を第１メモリ１２に記憶された提供済み広告識別情報に加えて更新してもよい。これにより、情報通信端末１０の第１メモリ１２に、提供済みの広告を示す提供済み広告情報１２３が記憶される。
【００３４】
なお、情報通信端末１０に記憶される提供済み広告情報１２３の更新方法は、上記に限定されない。第３プロセッサ３１は、ユーザの乗車を検出してからユーザの降車を検出するまでに表示した広告に関する情報（最新の乗車時に提供した広告に関する情報）を、管理サーバー２０に送信する。そして、管理サーバー２０は、最新の乗車時に提供した広告に関する情報を、情報通信端末１０に送信し、情報通信端末１０は、受信した最新の乗車時に提供した広告に関する情報を第１メモリ１２に記憶された提供済み広告識別情報に加えて更新してもよい。また、この際、管理サーバー２０は、最新の乗車時に提供した広告の商品に関連する商品ウェブサイト（商品を購入可能なＥＣ（Electronic Commerce）サイトも含む）にアクセスするためのリンクを加えて、情報通信端末１０に送信してもよい。
【００３５】
なお、いくつかの実施形態において、管理サーバー２０は、情報通信端末１０から取得した前記提供済み広告情報に基づき、第２メモリ２２に記憶された複数の広告データ２２５のうち、未だ提供していない広告データ２２５であり、かつ最も新しい提供済みの広告に関連する広告データ２２５を選択して車両３０に送信してもよい。管理サーバー２０（第２メモリ２２）には、広告データ２２５が、所定のタイミングでアップロードされる。第２プロセッサ２１は、アップロードされた複数の広告データ２２５の分類わけすることができる。分類わけは、例えば、広告の提供主毎、広告の商品毎、広告の商品のカテゴリー毎、アップロードされる際に関連性を付与されたもの毎、などで行われてもよい（これらに限定されない）。これにより、異なる広告でも関連性を持たせた順番で表示することができ、広告の効果が増大されることも想定される。
【００３６】
また、いくつかの実施形態において、第２プロセッサ２１は、アップロードされた日時を広告データ２２５に対応付けて第２メモリ２２に記憶してもよく、日時が新しいものから（又は日時が古いものから）順番を複数の広告データ２２５に付与してもよい。また、アップロードされる際にアップロードした人により複数の広告データ２２５に順番が付与されてもよい。また、第２プロセッサ２１は、複数の広告データ２２５に付与されたパラメータ（例えば、優先度）などに応じて、複数の広告データ２２５に順番を付与してもよい。管理サーバー２０は、情報通信端末１０から取得した前記提供済み広告情報に基づき、第２メモリ２２に記憶された複数の広告データ２２５のうち、未だ提供していない広告データ２２５であり、かつ最も新しい提供済みの広告の次の順番の広告データ２２５を選択して車両３０に送信してもよい。これにより、所望の順番で広告データを提供することが可能となり、広告の効果が増大されることも想定される。
【００３７】
また、いくつかの実施形態では、管理サーバー２０は、情報通信端末１０から取得した前記提供済み広告情報に基づき、第２メモリ２２に記憶された複数の広告データ２２５のうち、未だ提供していない広告データ２２５であり、かつ第２メモリ２２に記憶された時期が最も新しい広告データ２２５を選択して車両３０に送信してもよい。図２は、第２メモリ２２に記憶された複数の広告データ２２５と、車両側表示器３４に表示される広告と、を示す図であり、複数の広告データ２２５を符号Ａ１〜Ａ６、Ｂ１〜Ｂ３で表記し、Ａ１、Ａ２、Ａ３、Ａ４、Ａ５、Ｂ１、Ｂ２、Ｂ３の順で配信の順番が設定され、Ａ１〜Ａ６とＢ１〜Ｂ３とは異なるカテゴリーに分類されていると仮定し、新たに広告データＡ６が追加された場合の処理について説明する。管理サーバー２０は、１回目の乗車において、順番が１番目の広告データＡ１を車両側表示器３４に配信し、２回目の乗車において、最新の表示済みの広告データＡ１の次の広告データＡ２，Ａ３，Ａ４を車両側表示器３４に配信する。３回目の乗車においては、管理サーバー２０は、通常であれば、最新の表示済みの広告データＡ４の次の広告データＡ５を車両側表示器３４に配信するところ、２回目の乗車と３回目の乗車との間に新たに第２メモリ２２にアップロードされた最新の広告データＡ６がある場合、この最新の広告データＡ６を優先的に車両側表示器３４に配信する。これにより、最新の情報を迅速にユーザに提供することも可能となる。
【００３８】
また、いくつかの実施形態では、管理サーバー２０は、広告データ２２５の商品に関連する商品ウェブサイトにアクセスするためのリンク情報が付加された広告データ２２５を車両３０に送信してもよい。リンク情報は、ＧＵＩで選択することでウェブサイトにアクセス可能な一般的なリンク、カメラなどで撮像することでウェブサイトにアクセス可能なＱＲコード（登録商標）、ＮＦＣ通信で受信することでウェブサイトにアクセス可能な電気信号（無線信号）、などを含んでいてもよい（これらに限定されない）。これにより、車両３０の車両側表示器３４上でのＧＵＩによるウェブサイトへのアクセス、車両３０の車両側表示器３４上に表示されたＱＲコード（登録商標）を情報通信端末１０のカメラ（不図示）で撮像することによるウェブサイトへのアクセス、車両３０のＮＦＣ通信部３５とのＮＦＣ通信により情報通信端末１０（ＮＦＣ通信部１５）が所定の電気信号（無線信号）を受信することによるウェブサイトへのアクセス、などが可能となり、ユーザによる広告に関連するウェブサイトへのアクセスの利便性が向上し、これにより、広告の効果を増大させることができる。
【００３９】
また、いくつかの実施形態では、管理サーバー２０は、リンク情報を介して商品ウェブサイトにアクセスしたユーザの数、又は／及びユーザの割合を集計してもよい。
【００４０】
また、いくつかの実施形態では、管理サーバー２０は、リンク情報を介して商品を購入したユーザの数、又は／及びユーザの割合を集計してもよい。
【００４１】
また、いくつかの実施形態では、管理サーバー２０は、情報通信端末１０からユーザの好みを推定可能な情報を取得し、情報通信端末１０から取得した前記提供済み広告情報に基づき、第２メモリ２２に記憶された複数の広告データ２２５のうち、未だ提供していない広告データ２２５であり、かつユーザの好みに合った広告データ２２５を選択して車両３０に送信してもよい。
【００４２】
また、いくつかの実施形態では、管理サーバー２０は、情報通信端末１０又は／及び車両３０から前記提供済み広告情報を取得して第２メモリ２２に記憶し、第２メモリ２２に記憶された前記提供済み広告情報に基づき、提供済みの広告に関連した広告データ２２５を新たな取得した、又は提供済みの広告の商品に関連した情報を新たに取得した場合、情報通信端末１０を介してユーザに報知してもよい。
【００４３】
また、いくつかの実施形態では、第２メモリ２２に記憶された複数の広告データ２２５は、第１の商品に関する複数の広告データ２２５と、第２の商品に関する複数の広告データ２２５と、を含み、管理サーバー２０は、情報通信端末１０から取得した前記提供済み広告情報に基づき、第１の商品に関する広告データ２２５を車両３０に送信した最も古い時期から所定の期間が経過していた場合、第２メモリ２２に記憶された複数の広告データ２２５のうち、未だ提供していない広告データ２２５であり、かつ第１の商品とは異なる第２の商品に関する広告データ２２５を選択して車両３０に送信してもよい。具体的には、管理サーバー２０は、図２における第１の商品に関する広告データＡ１〜Ａ５を車両３０に送信した最も古い時期（１回目の乗車時期）から所定の期間（例えば、２週間）が経過していた場合、第１の商品（商品群）Ａ１〜Ａ５とは異なる第２の商品（商品群）に関する広告データＢ１〜Ｂ３を選択して車両３０に配信してもよい。ここでの所定の期間は、管理サーバー２０上で設定された共通の期間であってもよく、商品（商品群）毎に設定される期間であってもよい。
【００４４】
また、いくつかの実施形態では、第２メモリ２２に記憶された複数の広告データ２２５は、第１の商品に関する複数の広告データ２２５と、第２の商品に関する複数の広告データ２２５と、を含み、管理サーバー２０は、情報通信端末１０から取得した前記提供済み広告情報に基づき、第１の商品に関する広告データ２２５を所定の回数連続して提供していた場合、第２メモリ２２に記憶された複数の広告データ２２５のうち、未だ提供していない広告データ２２５であり、かつ第１の商品とは異なる第２の商品に関する広告データ２２５を選択して車両３０に送信してもよい。具体的には、管理サーバー２０は、図２における第１の商品に関する広告データＡ１〜Ａ５を車両３０に送信した回数が所定の回数（例えば、２回）連続して提供していた場合、第１の商品（商品群）Ａ１〜Ａ５とは異なる第２の商品（商品群）に関する広告データＢ１〜Ｂ３を選択して車両３０に配信してもよい。すなわち、管理サーバー２０は、１回目の乗車で第１の商品に関する広告データＡ１を配信し、２回目の乗車で第１の商品に関する広告データＡ２を配信した後、第１の商品（商品群）Ａ１〜Ａ５とは異なる第２の商品（商品群）に関する広告データＢ１〜Ｂ３を配信してもよい。
【００４５】
また、いくつかの実施形態では、第２メモリ２２に記憶された複数の広告データ２２５は、第１の商品に関する複数の広告データ２２５と、第２の商品に関する複数の広告データ２２５と、を含み、管理サーバー２０は、広告データ２２５の商品に関連する商品ウェブサイトにアクセスするためのリンク情報が付加された広告データ２２５を車両３０に送信し、リンク情報を介して第１の商品が購入された場合、第２メモリ２２に記憶された複数の広告データ２２５のうち、未だ提供していない広告データ２２５であり、かつ第１の商品とは異なる第２の商品に関する広告データ２２５を選択して車両３０に送信してもよい。
【符号の説明】
【００４６】
１…車両用広告提供システム、１０…情報通信端末、１１…第１プロセッサ、１２…第１メモリ、１３…公衆回線通信部、１４…端末側表示器、１５…ＮＦＣ通信部、２０…管理サーバー、２１…第２プロセッサ、２２…第２メモリ、２３…公衆回線通信部、３０…車両、３１…第３プロセッサ、３２…第３メモリ、３３…公衆回線通信部、３４…車両側表示器、３５…ＮＦＣ通信部、１２１…ユーザ情報、１２３…広告情報、１２５…認証キー、２２１…ユーザ情報、２２３…認証キー、２２５…広告データ、３２１…認証キー
【図１】
2020144559.tif 000003
【図２】
2020144559.tif 000004